(57)【要約】      （修正有）【課題】映像情報に基づいて表示装置のフレームレートを選択して表示特性を向上する。【解決手段】複数の画素、複数のゲート線及び複数のデータ線を含む表示板と、前記複数のゲート線にゲートオン電圧を印加するゲート駆動部と、前記複数のデータ線にデータ電圧を印加するデータ駆動部と、前記ゲート駆動部及び前記データ駆動部を制御する信号制御部と、前記信号制御部に第１フレームに対する入力映像信号を伝達するグラフィック制御部と、第１フレームに対する入力映像信号の階調を用いて判断した映像の特性によって、フレームレートを互いに異なる第１フレームレート及び第２フレームレートのうちの一つに決定するフレームレート制御部とを含み、前記第２フレームレートは前記第１フレームレートのＮ倍（Ｎは２以上の自然数）であり、前記信号制御部は前記フレームレート制御部の決定によって前記ゲート駆動部及び前記データ駆動部を制御する。【選択図】図５
2015114668.tif 000002
【特許請求の範囲】
【請求項１】
複数の画素、複数のゲート線及び複数のデータ線を含む表示板と、
前記複数のゲート線にゲートオン電圧を印加するゲート駆動部と、
前記複数のデータ線にデータ電圧を印加するデータ駆動部と、
前記ゲート駆動部及び前記データ駆動部を制御する信号制御部と、
前記信号制御部に第１フレームに対する入力映像信号を伝達するグラフィック制御部と、
前記第１フレームに対する入力映像信号の階調を用いて判断した映像の特性によって、前記第１フレームのフレームレートを互いに異なる第１フレームレート及び第２フレームレートのうちの一つに決定するフレームレート制御部と
を含み、
前記第２フレームレートは前記第１フレームレートのＮ倍（Ｎは２以上の自然数）であり、
前記信号制御部は前記フレームレート制御部の決定によって前記ゲート駆動部及び前記データ駆動部を制御することを特徴とする表示装置。
【請求項２】
前記フレームレート制御部は、前記第１フレームの映像の特性を定量化して定量数値を算出し、前記定量数値に基づいて前記フレームレートを決定するフレームレート判断部を含むことを特徴とする請求項１に記載の表示装置。
【請求項３】
前記映像の特性は垂直解像度を含み、
前記定量数値は、前記表示板の各列で互いに隣接する行の前記入力映像信号の階調差の絶対値を全て合計して求められる垂直解像度定量数値を含み、
前記垂直解像度定量数値が所定の第１基準値より大きい場合、前記フレームレート判断部は前記第１フレームレートに決定し、前記垂直解像度定量数値が前記第１基準値より小さいかまたは同一な場合、前記第２フレームレートに決定することを特徴とする請求項２に記載の表示装置。
【請求項４】
前記映像の特性はフレーム間差を含み、
前記定量数値は、前記表示板の各画素に対して前記第１フレーム及び前記第１フレームの以前フレームである第２フレームの間の前記入力映像信号の階調差の絶対値を全て合計して求められるフレーム間差定量数値を含み、
前記フレーム間差定量数値が所定の第２基準値より大きい場合、前記フレームレート判断部は前記第２フレームレートに決定し、前記フレーム間差定量数値が前記第２基準値より小さいかまたは同一な場合、前記第１フレームレートに決定することを特徴とする請求項２に記載の表示装置。
【請求項５】
前記表示板が表示する映像を分離して互いに異なる時点で互いに異なる映像が認識されるようにする立体映像変換部材をさらに含むことを特徴とする請求項２に記載の表示装置。
【請求項６】
前記表示板に光を供給するバックライトと、
前記バックライトを駆動するバックライト制御部と
をさらに含み、
前記信号制御部は前記フレームレート制御部が決定した前記フレームレートによって前記バックライト制御部を制御し、
前記バックライトは独立的に駆動される複数の発光ブロックを含み、
前記フレームレートが前記第１フレームレートから前記第２フレームレートに変わる直前のフレームで前記発光ブロックのうちの最も下側に位置する発光ブロックのオン（ＯＮ）時間は最も上側に位置する発光ブロックのオン（ＯＮ）時間より短いことを特徴とする請求項１に記載の表示装置。
【請求項７】
前記フレームレート制御部は、前記フレームレート判断部が前記第２フレームレートに決定した場合、前記表示板が前記第１フレームレートで駆動される区間と前記第２フレームレートで駆動される区間との間に中間フレームが必要か、前記第１フレームレートに対する入力映像信号及び前記第２フレームレートに対する入力映像信号に基づいて判断する中間フレーム判断部をさらに含むことを特徴とする請求項１に記載の表示装置。
【請求項８】
前記中間フレーム判断部は前記表示板の各画素に対して前記第１フレームに対する入力映像信号及び前記第２フレームに対する入力映像信号の階調差の絶対値を全て合計して求められるフレーム間差定量数値を求め、
前記中間フレーム判断部は前記フレーム間差定量数値が所定の第３基準値と所定の第４基準値の間に位置する場合に前記中間フレームが必要であると判断し、そうでない場合に前記中間フレームが必要でないと判断することを特徴とする請求項７に記載の表示装置。
【請求項９】
前記中間フレーム判断部は前記第１フレームに対する入力映像信号の階調の合計と前記第２フレームに対する入力映像信号の階調の合計の差の絶対値であるフレーム輝度定量数値を求め、
前記中間フレーム判断部は前記フレーム輝度定量数値が所定の第５基準値より大きい場合に前記中間フレームが必要でないと判断し、そうではない場合に前記中間フレームが必要であると判断することを特徴とする請求項７に記載の表示装置。
【請求項１０】
複数の画素、複数のゲート線及び複数のデータ線を含む表示板と、前記複数のゲート線にゲートオン電圧を印加するゲート駆動部と、前記複数のデータ線にデータ電圧を印加するデータ駆動部とを含む表示装置の駆動方法であって、
第１フレームに対する入力映像信号を入力し、
前記第１フレームに対する入力映像信号の階調を用いて映像の特性によってフレームレートを互いに異なる第１フレームレート及び第２フレームレートのうちの一つに決定し、
前記決定した前記第一フレームレート及び前記第２フレームレートのうちの一つによって前記ゲート駆動部及び前記データ駆動部を制御すること
を含み、
前記第２フレームレートは前記第１フレームレートのＮ倍（Ｎは２以上の自然数）であることを特徴とする表示装置の駆動方法。
【請求項１１】
前記第１フレームの映像の特性を定量化して定量数値を算出し、
前記定量数値に基づいて前記フレームレートを決定すること
をさらに含むことを特徴とする請求項１０に記載の表示装置の駆動方法。
【請求項１２】
前記映像の特性は垂直解像度を含み、
前記定量数値は前記表示板の各列で互いに隣接する行の前記入力映像信号の階調差の絶対値を全て合計して求められる垂直解像度定量数値を含み、
前記垂直解像度定量数値が所定の第１基準値より大きい場合、前記フレームレートを決定することは前記第１フレームレートに決定し、前記垂直解像度定量数値が前記第１基準値より小さいかまたは同一な場合、前記第２フレームレートに決定することを特徴とする請求項１１に記載の表示装置の駆動方法。
【請求項１３】
前記映像の特性はフレーム間差を含み、
前記定量数値は前記表示板の各画素に対して前記第１フレーム及び前記第１フレームの以前フレームである第２フレームの間の前記入力映像信号の階調差の絶対値を全て合計して求められるフレーム間差定量数値を含み、
前記フレーム間差定量数値が所定の第２基準値より大きい場合、前記フレームレートを決定することは前記第２フレームレートに決定し、前記フレーム間差定量数値が前記第２基準値より小さいかまたは同一な場合、前記第１フレームレートに決定することを特徴とする請求項１１に記載の表示装置の駆動方法。
【請求項１４】
立体映像変換部材を通じて前記表示板が表示する映像を分離して互いに異なる時点で互いに異なる映像が認識されるようにする段階をさらに含むことを特徴とする請求項１３に記載の表示装置の駆動方法。
【請求項１５】
前記バックライトは独立的に駆動される複数の発光ブロックを含み、
前記フレームレートが前記第１フレームレートから前記第２フレームレートに変わる直前のフレームで前記発光ブロックのうちの最も下側に位置する発光ブロックのオン（ＯＮ）時間は最も上側に位置する発光ブロックのオン（ＯＮ）時間より短いことを特徴とする請求項１０に記載の表示装置の駆動方法。
【発明の詳細な説明】
【技術分野】
【０００１】
本発明は表示装置及びその駆動方法に関する。
【背景技術】
【０００２】
液晶表示装置（ｌｉｑｕｉｄ  ｃｒｙｓｔａｌ  ｄｉｓｐｌａｙ、ＬＣＤ）、有機発光表示装置（ｏｒｇａｎｉｃ  ｌｉｇｈｔ  ｅｍｉｔｔｉｎｇ  ｄｉｏｄｅ  ｄｉｓｐｌａｙ）などの表示装置は、一般に表示板と、表示板を駆動するための駆動装置を含む。
【０００３】
表示板は、複数の信号線と、これに接続されておりほぼ行列形態に配列された複数の画素を含む。
【０００４】
信号線は、ゲート信号を伝達する複数のゲート線と、データ電圧を伝達する複数のデータ線などを含む。
【０００５】
各画素は、該当ゲート線及び該当データ線と接続されている少なくとも一つのスイッチング素子及びこれに接続された少なくとも一つの画素電極、そして画素電極と対向し共通電圧の印加を受ける対向電極を含んでもよい。
【０００６】
スイッチング素子は少なくとも一つの薄膜トランジスタを含んでもよく、ゲート線が伝達するゲート信号によってターンオンまたはターンオフされデータ線が伝達するデータ電圧を選択的に画素電極に伝達することができる。各画素はスイッチング素子を通じて所望の輝度情報に対応するデータ電圧の印加を受ける。画素に印加されたデータ電圧は対向電極に印加される共通電圧との差によって画素電圧として示され、画素電圧によって各画素は映像信号の階調が示す輝度を表示する。
【０００７】
表示装置の駆動装置は、グラフィック制御部、駆動部及び駆動部を制御する信号制御部を含む。
【０００８】
グラフィック制御部は、表示する映像に対する入力映像信号を信号制御部に伝送する。入力映像信号は各画素の輝度情報を含んでおり、各輝度は定められた数を有している。
【０００９】
信号制御部は、表示板を駆動するための制御信号を生成して映像信号と共に駆動部に伝送する。
【００１０】
駆動部は、ゲート信号を生成するゲート駆動部、及びデータ電圧を生成するデータ駆動部を含む。
【００１１】
一方、最近表示装置技術の発展によって３次元（３  ｄｉｍｅｎｓｉｏｎａｌ、３Ｄ）の立体映像を表示することができる表示装置が関心を引いており、多様な３次元映像表示方法が研究されている。
【００１２】
一般に、３次元映像表示技術では近距離で立体感を認識する最も大きい要因である両眼視差（ｂｉｎｏｃｕｌａｒ  ｐａｒａｌｌａｘ）を用いて物体の立体感を表現する。即ち、左側の目（左眼）と右側の目（右眼）にはそれぞれ互いに異なる２次元映像が映られ、左眼に映る映像（以下、「左眼映像（ｌｅｆｔ  ｅｙｅ  ｉｍａｇｅ）」という）と右眼に映る映像（以下、「右眼映像（ｒｉｇｈｔ  ｅｙｅ  ｉｍａｇｅ）」という）が脳に伝達されると、左眼映像と右眼映像は脳で融合され奥行き感（ｄｅｐｔｈ  ｐｅｒｃｅｐｔｉｏｎ）または立体感を有する３次元映像として認識される。
【００１３】
３次元映像が表示できる表示装置はこのような両眼視差を用いるものであって、シャッターメガネ（ｓｈｕｔｔｅｒ  ｇｌａｓｓｅｓ）、偏光眼鏡（ｐｏｌａｒｉｚｅｄ  ｇｌａｓｓｅｓ）などの眼鏡を使用する眼鏡式（ｓｔｅｒｅｏｓｃｏｐｉｃ）３次元映像表示装置と、眼鏡を使用せず表示装置にレンチキュラーレンズ（ｌｅｎｔｉｃｕｌａｒ  ｌｅｎｓ）、パララックスバリア（ｐａｒａｌｌａｘ  ｂａｒｒｉｅｒ）などの光学系を配置する無眼鏡式（ａｕｔｏｓｔｅｒｅｏｓｃｏｐｉｃ）３次元映像表示装置がある。
【先行技術文献】
【特許文献】
【００１４】
【特許文献１】大韓民国特許公開第２０１３−００３５３１７号
【発明の概要】
【発明が解決しようとする課題】
【００１５】
本発明の目的は、映像情報に基づいて表示装置のフレームレートを選択して表示する映像に適するように表示特性を向上することができる表示装置及びその駆動方法を提供することにある。
【課題を解決するための手段】
【００１６】
上記目的を達成するために、本発明の一実施形態による表示装置は、複数の画素、複数のゲート線及び複数のデータ線を含む表示板と、前記複数のゲート線にゲートオン電圧を印加するゲート駆動部と、前記複数のデータ線にデータ電圧を印加するデータ駆動部と、前記ゲート駆動部及び前記データ駆動部を制御する信号制御部と、前記信号制御部に第１フレームに対する入力映像信号を伝達するグラフィック制御部と、第１フレームに対する入力映像信号の階調を用いて判断した映像の特性によって、フレームレートを互いに異なる第１フレームレート及び第２フレームレートのうちの一つに決定するフレームレート制御部とを含み、前記第２フレームレートは前記第１フレームレートのＮ倍（Ｎは２以上の自然数）であり、前記信号制御部は前記フレームレート制御部の決定によって前記ゲート駆動部及び前記データ駆動部を制御する。
【００１７】
本発明の一実施形態による表示装置の駆動方法は、複数の画素、複数のゲート線及び複数のデータ線を含む表示板と、前記複数のゲート線にゲートオン電圧を印加するゲート駆動部と、前記複数のデータ線にデータ電圧を印加するデータ駆動部とを含む表示装置で、第１フレームに対する入力映像信号を入力する段階と、前記第１フレームに対する入力映像信号の階調を用いて映像の特性によってフレームレートを互いに異なる第１フレームレート及び第２フレームレートのうちの一つに決定する段階と、前記フレームレート制御部の決定によって前記ゲート駆動部及び前記データ駆動部を制御する段階とを含み、前記第２フレームレートは前記第１フレームレートのＮ倍（Ｎは２以上の自然数）である。
前記フレームレート制御部は、前記第１フレームの映像の特性を定量化して定量数値を算出し、前記定量数値に基づいて前記フレームレートを決定するフレームレート判断部を含んでもよい。
【００１８】
前記映像の特性は垂直解像度を含み、前記定量数値は前記表示板の各列で互いに隣接する行の前記入力映像信号の階調差の絶対値を全て合計して求められる垂直解像度定量数値を含み、前記垂直解像度定量数値が所定の第１基準値より大きい場合、前記フレームレート判断部は前記第１フレームレートに決定し、前記垂直解像度定量数値が前記第１基準値より小さいかまたは同一な場合、前記第２フレームレートに決定してもよい。
【００１９】
前記映像の特性はフレーム間差を含み、前記定量数値は前記表示板の各画素に対して前記第１フレーム及び前記第１フレームの以前フレームである第２フレームの間の前記入力映像信号の階調差の絶対値を全て合計して求められるフレーム間差定量数値を含み、前記フレーム間差定量数値が所定の第２基準値より大きい場合、前記フレームレート判断部は前記第２フレームレートに決定し、前記フレーム間差定量数値が前記第２基準値より小さいかまたは同一な場合、前記第１フレームレートに決定してもよい。
【００２０】
前記表示板が表示する映像を分離して互いに異なる時点で互いに異なる映像が認識されるようにする立体映像変換部材をさらに含んでもよい。
【００２１】
前記信号制御部は前記フレームレート制御部が決定した前記フレームレートによって前記立体映像変換部材の駆動タイミングを制御してもよい。
【００２２】
前記表示板が表示する映像を分離して互いに異なる時点で互いに異なる映像が認識されるようにするシャッターメガネをさらに含み、前記各画素は第１時点に対する映像と第２時点に対する映像をそれぞれ前記第１フレーム及び前記第１フレームの以前フレームである第２フレームで表示し、前記映像の特性は３次元映像の深さ情報定量数値を含み、前記深さ情報定量数値は前記表示板の各画素に対して前記第１時点に対する前記入力映像信号の階調と前記第２時点に対する前記入力映像信号の階調の差の絶対値を全て合計して求められてもよい。
【００２３】
前記表示板に光を供給するバックライトと、前記バックライトを駆動するバックライト制御部とをさらに含み、前記信号制御部は前記フレームレート制御部が決定した前記フレームレートによって前記バックライト制御部を制御してもよい。
【００２４】
前記バックライトは前記表示板全体に対応して同時にオンされるかオフされるブリンキングバックライトを含むか、独立的に駆動される複数の発光ブロックを含み、前記バックライトが独立的に駆動される複数の発光ブロックを含む場合、前記フレームレートが前記第１フレームレートから前記第２フレームレートに変わる直前のフレームで前記発光ブロックのうちの最も下側に位置する発光ブロックのオン（ＯＮ）時間は最も上側に位置する発光ブロックのオン（ＯＮ）時間より短くてもよい。
【００２５】
前記フレームレート制御部は、前記フレームレート判断部が前記第２フレームレートに決定した場合、前記表示板が前記第１フレームレートで駆動される区間と前記第２フレームレートで駆動される区間との間に中間フレームが必要か判断する中間フレーム判断部をさらに含んでもよい。
【００２６】
前記フレームレート制御部は、前記第１フレームの以前フレームである第２フレームの入力映像信号を保存するフレームメモリをさらに含んでもよい。
前記中間フレーム判断部は前記表示板の各画素に対して前記第１フレームに対する入力映像信号及び前記第２フレームに対する入力映像信号の階調差の絶対値を全て合計して求められるフレーム間差定量数値を求め、前記中間フレーム判断部は前記フレーム間差定量数値が所定の第３基準値と所定の第４基準値の間に位置する場合に前記中間フレームが必要であると判断し、そうでない場合に前記中間フレームが必要でないと判断してもよい。
【００２７】
前記中間フレーム判断部は前記第１フレームに対する入力映像信号の階調の合計と前記第２フレームに対する入力映像信号の階調の合計の差の絶対値であるフレーム輝度定量数値を求め、前記中間フレーム判断部は前記フレーム輝度定量数値が所定の第５基準値より大きい場合に前記中間フレームが必要でないと判断し、そうではない場合に前記中間フレームが必要であると判断してもよい。
【００２８】
前記中間フレーム判断部が前記中間フレームが必要であると判断した場合、前記中間フレームで第１ホールド区間の間に垂直開始信号ＳＴＶのパルスを遅延させ、前記第１ホールド区間の間にダミー映像信号が前記データ駆動部に入力されてもよい。
前記中間フレームで、前記第１ホールド区間が終わった後、前記第２フレームレートで前記表示板に前記データ電圧が印加され、前記表示板に前記データ電圧の印加が完了した後、第２ホールド区間の間にその次のフレームに対する前記垂直開始信号のパルスが遅延されてもよい。
【００２９】
前記中間フレーム判断部が前記中間フレームが必要であると判断した場合、前記中間フレームの前記表示板の第１領域は前記第１フレームレートで駆動され、前記表示板の前記第１領域を除いた第２領域は前記第２フレームレートで駆動されてもよい。
【００３０】
前記中間フレームで、前記第２領域が前記第２フレームレートで駆動された後、ホールド区間の間にその次のフレームに対する前記垂直開始信号のパルスが遅延されてもよい。
【００３１】
前記フレームレート制御部は、前記信号制御部または前記グラフィック制御部内に含まれていてもよい。
【００３２】
前記入力映像信号は前記グラフィック制御部と前記信号制御部の間を連結する第１配線を通じて伝達され、前記フレームレート制御部が前記グラフィック制御部内に含まれている場合、前記フレームレート制御部の決定結果は前記グラフィック制御部と前記信号制御部の間を接続し前記第１配線と別途の第２配線を通じて伝達されてもよい。
【００３３】
前記フレームレート制御部が前記グラフィック制御部内に含まれている場合、前記フレームレート制御部の決定結果は垂直ブランク区間に含まれ前記信号制御部に伝達されてもよい。
【発明の効果】
【００３４】
本発明に係る表示装置及びその駆動方法によれば、映像情報に基づいて表示装置のフレームレートを選択し表示する映像に適するように表示特性を向上することができる。
【図面の簡単な説明】
【００３５】
【図１】本発明の一実施形態による表示装置のブロック図である。
【図２】本発明の一実施形態による表示装置が含む信号制御部のブロック図である。
【図３】本発明の一実施形態による表示装置のブロック図である。
【図４】本発明の一実施形態による表示装置が眼鏡を用いて立体映像を表示する方法を示した図である。
【図５】本発明の一実施形態による表示装置が入力映像信号に基づいてフレームレートを調節する方法を示したフローチャートである。
【図６】本発明の一実施形態による表示装置に入力される入力映像信号の特性を定量化した例を示したグラフである。
【図７】本発明の一実施形態による表示装置が含む信号制御部が出力する出力映像信号の例を示した図である。
【図８】本発明の一実施形態による表示装置の駆動信号のタイミング図である。
【図９】本発明の一実施形態による表示装置の出力映像信号に対するデータ電圧の入力時間及びバックライトが点灯されるオン（ＯＮ）時間を示すタイミング図である。
【図１０】本発明の一実施形態による表示装置のデータ電圧の入力による輝度の変化を示すグラフである。
【図１１】本発明の一実施形態による表示装置のデータ電圧の入力による輝度の変化を示すグラフである。
【図１２】本発明の一実施形態による表示装置の出力映像信号に対するデータ電圧の入力時間及びバックライトが点灯される時間を示すタイミング図である。
【図１３】本発明の一実施形態による表示装置の出力映像信号に対するデータ電圧の入力時間を示すタイミング図である。
【図１４】本発明の一実施形態による表示装置が含む信号制御部が出力する出力映像信号の例を示した図である。
【図１５】本発明の一実施形態による表示装置の出力映像信号に対するデータ電圧の入力時間を示すタイミング図である。
【図１６】本発明の一実施形態による表示装置が含む信号制御部が出力する出力映像信号の例を示した図である。
【図１７】本発明の一実施形態による表示装置のブロック図である。
【図１８】本発明の一実施形態による表示装置のブロック図である。
【図１９】本発明の一実施形態による表示装置のブロック図である。
【図２０】本発明の一実施形態による表示装置の信号制御部に入力される入力映像信号を示した図面である。
【図２１】本発明の一実施形態による表示装置が無メガネ式で立体映像を表示する方法を示した図である。
【図２２】本発明の一実施形態による表示装置が入力映像信号に基づいてフレームレートを調節する方法を示したフローチャートである。
【発明を実施するための形態】
【００３６】
以下、添付した図面を参考として本発明の実施形態について本発明の属する技術分野における通常の知識を有する者が容易に実施できるように詳しく説明する。しかし、本発明は様々な形態に実現でき、ここで説明する実施形態に限定されない。
【００３７】
明細書全体で、ある部分が他の部分と「接続」されているという時、これは「直接的に接続」されている場合だけでなく、その中間に他の素子を挟んで「電気的に接続」されている場合も含む。また、ある部分がある構成要素を「含む」という時、これは特に反対になる記載がない限り他の構成要素を除くのではなく他の構成要素をさらに含むことができるのを意味する。
【００３８】
以下、本発明の一実施形態による表示装置及びその駆動方法について図面を参照して詳細に説明する。
【００３９】
まず、図１乃至図４を参照して本発明の一実施形態による表示装置について説明する。
【００４０】
図１は本発明の一実施形態による表示装置のブロック図であり、図２は本発明の一実施形態による表示装置が含む信号制御部のブロック図であり、図３は本発明の一実施形態による表示装置のブロック図であり、図４は本発明の一実施形態による表示装置が眼鏡を用いて立体映像を表示する方法を示した図である。
【００４１】
図１に示すように、本発明の一実施形態による表示装置はグラフィック制御部７００、表示板（ｄｉｓｐｌａｙ  ｐａｎｅｌ）３００、表示板３００に接続されたゲート駆動部４００及びデータ駆動部５００、表示板３００に光を提供するバックライト９００、バックライト９００を制御するバックライト制御部９５０、そして信号制御部６００を含む。
【００４２】
グラフィック制御部７００は外部から映像情報ＤＡＴＡ及びモード選択情報ＳＥＬなどの入力を受ける。モード選択情報ＳＥＬは映像を２Ｄモードで表示するか３Ｄモードで表示するかに対する２Ｄ／３Ｄモードに対する選択情報などを含んでもよい。グラフィック制御部７００は映像情報ＤＡＴＡ及びモード選択情報ＳＥＬに基づいて入力映像信号ＩＤＡＴ及び入力映像信号ＩＤＡＴの表示を制御する入力制御信号ＩＣＯＮを生成する。グラフィック制御部７００は、モード選択情報ＳＥＬが３Ｄモードの選択を指示する情報を含む場合、３Ｄイネーブル信号３Ｄ＿ｅｎをさらに生成してもよい。入力映像信号ＩＤＡＴ及び入力制御信号ＩＣＯＮと３Ｄイネーブル信号３Ｄ＿ｅｎは信号制御部６００に伝達されてもよい。
【００４３】
入力映像信号ＩＤＡＴは輝度（ｌｕｍｉｎａｎｃｅ）情報を含んでおり、輝度は定められた数の階調（ｇｒａｙ）を有してもよい。入力制御信号ＩＣＯＮは映像表示と関連して垂直同期信号Ｖｓｙｎｃ、水平同期信号Ｈｓｙｎｃ、メインクロックＭＣＬＫ、データイネーブル信号ＤＥなどを含んでもよい。本発明の他の実施形態によれば、入力制御信号ＩＣＯＮはフレームレート情報をさらに含んでもよい。
【００４４】
３Ｄイネーブル信号３Ｄ＿ｅｎは表示装置が３Ｄモードで動作して立体映像が表示されるように指示し、省略されてもよい。
【００４５】
表示板３００は、等価回路で見る時、複数の信号線とこれに接続されていてほぼ行列形態に配列された複数の画素ＰＸを含む。本発明の一実施形態による表示装置が液晶表示装置である場合、表示板３００は断面構造を見れば、互いに対向する下部及び上部表示板（図示せず）とその間に入っている液晶層（図示せず）を含んでもよい。
【００４６】
信号線は、ゲート信号を伝達し行方向に伸びる複数のゲート線Ｇ１−Ｇｎと、データ電圧を伝達し列方向に伸びる複数のデータ線Ｄ１−Ｄｍを含む。
【００４７】
一画素ＰＸは、少なくとも一データ線Ｄ１−Ｄｍ及び少なくとも一ゲート線Ｇ１−Ｇｎに接続されている少なくとも一つのスイッチング素子（図示せず）及びこれに接続された少なくとも一つの画素電極（図示せず）を含んでもよい。スイッチング素子は少なくとも一つの薄膜トランジスタを含んでもよく、ゲート線Ｇ１−Ｇｎが伝達するゲート信号によって制御されデータ線Ｄ１−Ｄｍが伝達するデータ電圧Ｖｄを画素電極に伝達することができる。
【００４８】
各画素ＰＸは色表示を実現するために、基本色（ｐｒｉｍａｒｙ  ｃｏｌｏｒ）のうちの一つを表示するか（空間分割）、各画素ＰＸが時間によって交互に基本色を表示して（時間分割）、これら基本色の空間的、時間的和で所望の色が認識されるようにしてもよい。
【００４９】
ゲート駆動部４００はゲート線Ｇ１−Ｇｎに接続され、ゲートオン電圧Ｖｏｎとゲートオフ電圧Ｖｏｆｆの組み合わせからなるゲート信号を少なくとも一つのゲート線Ｇ１−Ｇｎを単位で列方向に順次に印加する。
【００５０】
データ駆動部５００はデータ線Ｄ１−Ｄｍと接続されている。データ駆動部５００は複数の階調電圧でデータ電圧Ｖｄを選択し、これをデータ線Ｄ１−Ｄｍに印加する。データ駆動部５００は全ての階調電圧を別途の階調電圧生成部（図示せず）から入力を受けてもよく、これとは異なり、限定された数の基準階調電圧のみ提供を受け、これを分圧して全体階調に対する階調電圧を生成してもよい。
【００５１】
信号制御部６００はグラフィック制御部７００から入力映像信号ＩＤＡＴと入力制御信号ＩＣＯＮ、そして３Ｄイネーブル信号３Ｄ＿ｅｎなどを受信し、ゲート駆動部４００、データ駆動部５００、立体映像変換部材６０、そしてバックライト制御部９５０などの動作を制御する。
【００５２】
信号制御部６００は入力映像信号ＩＤＡＴと入力制御信号ＩＣＯＮに基づいて入力映像信号ＩＤＡＴを表示板３００の動作条件に合うように適切に処理して出力映像信号ＤＡＴを生成し、ゲート制御信号ＣＯＮＴ１、データ制御信号ＣＯＮＴ２、立体映像制御信号ＣＯＮＴ３、そしてバックライト制御信号ＣＯＮＴ４などを生成する。信号制御部６００はゲート制御信号ＣＯＮＴ１をゲート駆動部４００に伝達し、データ制御信号ＣＯＮＴ２をデータ駆動部５００に伝達し、立体映像制御信号ＣＯＮＴ３を立体映像変換部材６０に伝達し、バックライト制御信号ＣＯＮＴ４をバックライト制御部９５０に伝達する。
【００５３】
信号制御部６００はグラフィック制御部７００から受信した３Ｄイネーブル信号３Ｄ＿ｅｎによって２Ｄ映像を表示する２Ｄモードまたは３Ｄ映像を表示する３Ｄモードで動作してもよい。３Ｄモードで出力映像信号ＤＡＴは互いに異なる時点の映像信号を含んでもよい。３Ｄモードで表示板３００の一画素ＰＸは互いに異なる時点の映像信号に対応するデータ電圧を交互に表示するか、互いに異なる画素ＰＸが互いに異なる時点の映像信号に対応するデータ電圧を表示してもよい。
【００５４】
本発明の一実施形態による信号制御部６００はフレームレート制御部６５０をさらに含んでもよい。フレームレート制御部６５０は入力映像信号ＩＤＡＴに基づいて表示板３００が１秒に表示するフレーム数（「フレーム周波数」とも言う）であるフレームレートを制御する。信号制御部６００はフレームレート制御部６５０の判断結果によってゲート制御信号ＣＯＮＴ１、データ制御信号ＣＯＮＴ２、立体映像制御信号ＣＯＮＴ３、そしてバックライト制御信号ＣＯＮＴ４などを生成することができる。
【００５５】
信号制御部６００は入力映像信号ＩＤＡＴをフレーム単位で保存できるフレームメモリ６６０をさらに含んでもよい。
【００５６】
図２に示すように、本発明の一実施形態による信号制御部６００はフレームレート制御部６５０及び信号生成部６７０を含んでもよい。
【００５７】
フレームレート制御部６５０は、フレームレート判断部６１０、中間フレーム判断部６２０、そして中間フレーム生成部６３０を含んでもよい。
【００５８】
フレームレート判断部６１０は入力映像信号ＩＤＡＴに基づいてフレームレートを決定する。フレームレート判断部６１０が決定したフレームレートは第１フレームレートＦ１または第２フレームレートＦ２であってもよい。第１フレームレートＦ１はゲート駆動部４００が表示板３００のゲート線Ｇ１−Ｇｎを一つのゲート線Ｇ１−Ｇｎを単位にしてスキャニングしゲートオン電圧Ｖｏｎを印加する場合のフレームレートである。第２フレームレートＦ２は第１フレームレートＦ１より大きく、第１フレームレートＦ１のＮ倍（Ｎは２以上の自然数）であってもよい。例えば、第２フレームレートＦ２は第１フレームレートＦ１の２倍であってもよい。第２フレームレートＦ２で表示板３００を駆動する場合、ゲート駆動部４００は連続した二つ以上のゲート線Ｇ１−Ｇｎを単位にしてゲート線Ｇ１−Ｇｎをスキャニングしゲートオン電圧Ｖｏｎを印加することができる。第２フレームレートＦ２でゲート線Ｇ１−Ｇｎをスキャニングする駆動方法をゲートダブリング（ｇａｔｅ  ｄｏｕｂｌｉｎｇ）と言い、ゲートダブリングの実行をダブリング−オン駆動ＧＤ＿ｏｎと言い、実行しないことをダブリング−オフ駆動ＧＤ＿ｏｆｆと言う。例えば、第１フレームレートＦ１が１２０Ｈｚである時、第２フレームレートＦ２は２４０Ｈｚであってもよい。
【００５９】
データ駆動部５００は、互いに異なるフレームレートに対して同じ駆動周波数でデータ電圧Ｖｄを表示板３００に印加してもよい。
【００６０】
フレームレート判断部６１０は、第１フレームレートＦ１に決定した場合、ダブリング−オフ駆動ＧＤ＿ｏｆｆを指示する信号を信号生成部６７０に出力し、第１フレームレートＦ１から第２フレームレートＦ２に転換すると決定した場合、ダブリング−オン駆動ＧＤ＿ｏｎを指示する信号を中間フレーム判断部６２０に出力する。
中間フレーム判断部６２０は、フレームレート判断部６１０がフレームレートを第２フレームレートＦ２への転換を決定した場合、フレームレート判断部６１０からダブリング−オン駆動ＧＤ＿ｏｎを指示する信号を受信し、中間フレームが必要かどうか判断する。中間フレーム判断部６２０は現在フレームの入力映像信号ＩＤＡＴ及びフレームメモリ６６０に保存されていた以前フレームの入力映像信号に基づいて中間フレームが必要かどうかについて判断できる。中間フレームは、フレームレートが第１フレームレートＦ１から第２フレームレートＦ２に、またはその反対に変わる時、その中間に挿入されるフレームであって、垂直開始信号ＳＴＶを遅延させ生成されるホールド区間（ｈｏｌｄ  ｐｅｒｉｏｄ）を含んでもよい。中間フレーム判断部６２０は、中間フレームが必要ないと判断した場合、ダブリング−オン駆動ＧＤ＿ｏｎを指示する信号を信号生成部６７０に伝達してもよい。
【００６１】
中間フレーム生成部６３０は、中間フレーム判断部６２０が中間フレームが必要であると判断した場合、垂直開始信号ＳＴＶを遅延させ中間フレームに関する情報ＭＦＳを生成した後、ダブリング−オン駆動ＧＤ＿ｏｎを指示する信号と中間フレームに関する情報ＭＦＳを信号生成部６７０に伝達する。
【００６２】
信号生成部６７０は、様々な制御信号を生成する制御信号生成部６７２及び出力映像信号ＤＡＴを生成する出力映像信号生成部６７４を含んでもよい。
【００６３】
制御信号生成部６７２は、フレームレート制御部６５０から入力されるダブリング−オフ駆動ＧＤ＿ｏｆｆを指示する信号またはダブリング−オン駆動ＧＤ＿ｏｎを指示する信号に基づいてゲート制御信号ＣＯＮＴ１、データ制御信号ＣＯＮＴ２、立体映像制御信号ＣＯＮＴ３、そしてバックライト制御信号ＣＯＮＴ４などの制御信号を生成する。
【００６４】
例えば、ゲート制御信号ＣＯＮＴ１が含む信号のうちのゲートオン電圧Ｖｏｎのスキャニング（ｓｃａｎｎｉｎｇ）開始を指示する垂直開始信号ＳＴＶの場合、ダブリング−オフ駆動ＧＤ＿ｏｆｆを指示する信号が入力される場合に第１フレームレートＦ１に合うように垂直開始信号ＳＴＶを生成し、ダブリング−オン駆動ＧＤ＿ｏｎを指示する信号が入力される場合に垂直開始信号ＳＴＶを第２フレームレートＦ２に合うように生成する。例えば、第２フレームレートＦ２が第１フレームレートＦ１のほぼ２倍である時、第１フレームレートＦ１の垂直開始信号ＳＴＶのパルス周期は第２フレームレートＦ２の垂直開始信号ＳＴＶのパルス周期のほぼ２倍であってもよい。
【００６５】
ゲート制御信号ＣＯＮＴ１が含む信号ゲートオン電圧Ｖｏｎの出力周期を制御するゲートクロック信号ＣＰＶの場合、ダブリング−オフ駆動ＧＤ＿ｏｆｆを指示する信号が入力される場合に第１フレームレートＦ１に合うようにゲートクロック信号ＣＰＶを生成し、ダブリング−オン駆動ＧＤ＿ｏｎを指示する信号が入力される場合にゲートクロック信号ＣＰＶを第２フレームレートＦ２に合うように生成する。例えば、第２フレームレートＦ２が第１フレームレートＦ１のほぼ２倍である時、第１フレームレートＦ１のゲートクロック信号ＣＰＶのパルス周期は第２フレームレートＦ２のゲートクロック信号ＣＰＶのパルス周期のほぼ２倍であってもよい。
【００６６】
出力映像信号生成部６７４は、フレームレート制御部６５０から入力されるダブリング−オフ駆動ＧＤ＿ｏｆｆを指示する信号またはダブリング−オン駆動ＧＤ＿ｏｎを指示する信号に基づいて入力映像信号ＩＤＡＴを処理し出力映像信号ＤＡＴを生成する。ダブリング−オン駆動ＧＤ＿ｏｎを指示する信号が入力される場合の出力映像信号ＤＡＴはダブリング−オフ駆動ＧＤ＿ｏｆｆを指示する信号が入力される場合の出力映像信号ＤＡＴの圧縮映像信号であってもよい。例えば、ダブリング−オン駆動ＧＤ＿ｏｎを指示する信号が入力される場合の出力映像信号ＤＡＴの解像度はダブリング−オフ駆動ＧＤ＿ｏｆｆを指示する信号が入力される場合の出力映像信号ＤＡＴの解像度のほぼ１／Ｎ倍であってもよい。
【００６７】
再び図１を参照すれば、バックライト９００は表示板３００の後方に位置してもよく、少なくとも一つの光源を含んでもよい。光源の例としては、ＣＣＦＬ（ｃｏｌｄ  ｃａｔｈｏｄｅ  ｆｌｕｏｒｅｓｃｅｎｔ  ｌａｍｐ）のような蛍光ランプ、ＬＥＤ（ｌｉｇｈｔ  ｅｍｉｔｔｉｎｇ  ｄｉｏｄｅ）などを含んでもよい。バックライト９００が含む光源はバックライト制御信号ＣＯＮＴ４によるバックライト制御部９５０の制御によって所定時間点灯されるか消灯されてもよい。バックライト９００は全体表示板３００に対応して同時に駆動されてもよく、複数の発光ブロックに分けられて駆動されてもよい。
【００６８】
バックライト制御部９５０は信号制御部６００からのバックライト制御信号ＣＯＮＴ４によってバックライト９００を駆動する。
【００６９】
本発明の一実施形態による表示装置が自己発光型表示装置である場合にバックライト９００及びバックライト制御部９５０は省略されてもよい。
【００７０】
本発明の一実施形態による表示装置は３Ｄ映像を表示する３Ｄモードで使用される立体映像変換部材６０をさらに含んでもよい。立体映像変換部材６０は立体映像表示を実現するためのものであって、互いに異なる時点に各時点に対応する映像が認識されるようにすることができる。立体映像変換部材６０は表示板３００に同期して動作してもよい。
【００７１】
例えば、立体映像変換部材６０は、観察者の左眼に左眼用映像（「左眼映像」という）が入射するようにし、右眼に右眼用映像（「右眼映像」という）が入射するようにして、両眼視差が発生するようにすることができる。即ち、立体映像変換部材６０は互いに異なる時点にそれぞれ異なる映像が入力されるようにすることによって観察者が立体感を感じることができるようにする。
【００７２】
図３に示すように、立体映像変換部材６０はシャッターメガネ６０ａまたは遮光部及び透光部が交互に形成されているパララックスバリアまたはレンズなどの光学系６０ｂを含んでもよい。立体映像変換部材６０を通じて互いに異なる第１時点ＶＷ１及び第２時点ＶＷ２で互いに異なる映像が観察されてもよい。
【００７３】
図４に示すように、本発明の一実施形態による表示装置は立体映像を表示できる表示装置として眼鏡式立体映像表示装置であってもよい。
【００７４】
表示板３００の画素ＰＸは第１時点ＶＷ１に対する出力映像信号ＤＡＴ１と第２時点ＶＷ２に対する出力映像信号ＤＡＴ２を互いに異なる時間に表示し、観察者は表示板３００に同期されて動作するシャッターメガネ６０ａ１、６０ａ２を通じて互いに異なる時点の第１時点ＶＷ１及び第２時点ＶＷ２でそれぞれの映像を観察することができる。第１時点ＶＷ１のシャッターメガネ６０ａ１及び第２時点ＶＷ２のシャッターメガネ６０ａ２は互いに異なるタイミングにオン（ｏｎ）／オフ（ｏｆｆ）されてもよい。
【００７５】
眼鏡式立体映像表示装置で、異なる観察者がそれぞれ第１時点ＶＷ１及び第２時点ＶＷ２でシャッターメガネ６０ａ１、６０ａ２を通じてそれぞれの映像を観察してもよく、一観察者の左眼及び右眼がそれぞれ第１時点ＶＷ１と第２時点ＶＷ２でシャッターメガネ６０ａ１、６０ａ２を通じて左眼映像及び右眼映像を観察してもよい。
【００７６】
例えば、表示板３００が第１時点ＶＷ１に該当する左眼映像と第２時点ＶＷ２に該当する右眼映像を交互に表示すればシャッターメガネ６０ａ１及びシャッターメガネ６０ａ２がこれに同期して交互に光を透過及び遮断することができる。そうすれば観察者はシャッターメガネ６０ａ１、６０ａ２を通じて表示板３００の映像を立体映像として認識することができる。
【００７７】
以下、前述の図面と共に図５乃至図１１を参照して本発明の一実施形態による表示装置の駆動方法について説明する。
【００７８】
図５は本発明の一実施形態による表示装置が入力映像信号に基づいてフレームレートを調節する方法を示したフローチャートであり、図６は本発明の一実施形態による表示装置に入力される入力映像信号の特性を定量化した例を示したグラフであり、図７は本発明の一実施形態による表示装置が含む信号制御部が出力する出力映像信号の例を示した図であり、図８は本発明の一実施形態による表示装置の駆動信号のタイミング図であり、図９は本発明の一実施形態による表示装置の出力映像信号に対するデータ電圧の入力時間及びバックライトが点灯される時間を示すタイミング図であり、図１０及び図１１はそれぞれ本発明の一実施形態による表示装置でデータ電圧の入力による輝度の変化を示すグラフである。
【００７９】
本実施形態による表示装置は、前述の図４に示した実施形態のように、画素ＰＸが互いに異なる時間に互いに異なる時点に対する映像を表示してもよい。
【００８０】
グラフィック制御部７００が信号制御部６００に入力制御信号ＩＣＯＮ及び入力映像信号ＩＤＡＴを入力する（Ｓ１１）。３Ｄモードである場合、信号制御部６００はグラフィック制御部７００から３Ｄイネーブル信号３Ｄ＿ｅｎを受信して３Ｄモードで動作する。
【００８１】
信号制御部６００のフレームレート判断部６１０は入力映像信号ＩＤＡＴに基づいて映像の特性によって該当フレームのフレームレートを決定しゲートダブリング駆動が必要かどうか判断する（Ｓ１４）。このためにフレームレート判断部６１０は入力映像信号ＩＤＡＴに基づいて映像の特性の一つである垂直解像度を定量化（Ｓ１２）及び／または深さ情報（ｄｅｐｔｈ）を定量化することができる（Ｓ１３）。
【００８２】
垂直解像度は表示板３００が表示する映像の列方向の解像度である。垂直解像度を定量化した垂直解像度定量数値は例えば下記［数式１］によって計算されてもよい。
【００８３】
【数１】
2015114668.tif 000003
【００８４】
［数式１］で、ｘは行方向の座標を示し、ｙは列方向の座標を示し、ＶＷは第１時点ＶＷ１または第２時点ＶＷ２に対する入力映像信号ＩＤＡＴの階調値を示し、画素ＰＸは例えば赤色（Ｒ）、緑色（Ｇ）及び青色（Ｂ）の基本色のうちの一つを表示する。［数式１］によって各基本色（Ｒ、Ｇ、Ｂ）に対して各列で互いに隣接する行の入力映像信号ＩＤＡＴの階調差の絶対値を全て合計して垂直解像度定量数値が得られる。
【００８５】
深さ情報は、互いに異なる時点、特に互いに隣接する時点で認識される映像の差であって、立体映像を表示する場合、立体映像の深さ、即ち、各部分の突出するか引っ込む程度に関する情報であってもよい。
【００８６】
深さ情報を定量化した深さ情報定量数値は、例えば、下記［数式２］によって計算されてもよい。
【００８７】
【数２】
2015114668.tif 000004
【００８８】
［数式２］で、ｘは行方向の座標を示し、ｙは列方向の座標を示し、ＶＷ１は第１時点ＶＷ１に対する入力映像信号ＩＤＡＴの階調値を示し、ＶＷ２は第２時点ＶＷ２に対する入力映像信号ＩＤＡＴの階調値を示し、画素ＰＸは例えば赤色（Ｒ）、緑色（Ｇ）及び青色（Ｂ）の基本色のうちの一つを表示する。［数式２］によって各基本色（Ｒ、Ｇ、Ｂ）に対して各座標の第１時点ＶＷ１に対する入力映像信号ＩＤＡＴの階調値と第２時点ＶＷ２に対する入力映像信号ＩＤＡＴの階調値の差の絶対値を全て合計して深さ情報定量数値が得られる。第１時点ＶＷ１での映像と第２時点ＶＷ２での映像が同一であれば深さ情報定量数値は０であり、第１時点ＶＷ１での映像と第２時点ＶＷ２での映像の差が大きければ深さ情報定量数値の値は大きくなる。
【００８９】
図６は第１時点ＶＷ１に対する出力映像信号ＤＡＴ１と第２時点ＶＷ２に対する出力映像信号ＤＡＴ２の多様な例に対して垂直解像度定量数値及び深さ情報定量数値が多様に示されるのを示す。単純な映像であるほど垂直解像度定量数値が大体低く、第１時点ＶＷ１での映像と第２時点ＶＷ２での映像の差が大きいほど深さ情報定量数値が大体大きく示されることが分かる。
【００９０】
この他にも多様な方法で垂直解像度及び／または深さ情報を定量化することができる。
【００９１】
再び図５を参照すれば、信号制御部６００のフレームレート判断部６１０は垂直解像度定量数値及び／または深さ情報定量数値を用いてフレームレートを決定する。即ち、フレームレート判断部６１０は垂直解像度定量数値及び／または深さ情報定量数値などの入力映像信号ＩＤＡＴを用いてゲートダブリングが必要かどうか判断する（Ｓ１４）。
【００９２】
例えば、垂直解像度定量数値が所定基準値より大きく垂直解像度が高い必要がある場合にはゲート駆動部４００が第１フレームレートＦ１でスキャニングするダブリング−オフ駆動ＧＤ＿ｏｆｆをし、そうでない場合にはゲート駆動部４００が第２フレームレートＦ２でスキャニングするダブリング−オン駆動ＧＤ＿ｏｎをすることができる。
【００９３】
深さ情報定量数値が所定基準値より大きく画素ＰＸの応答速度を高めるか隣接するフレーム間クロストークを低める必要がある場合には、ゲート駆動部４００が第２フレームレートＦ２でスキャニングするダブリング−オン駆動ＧＤ＿ｏｎをし、そうでない場合にはゲート駆動部４００が第１フレームレートＦ１でスキャニングするダブリング−オフ駆動ＧＤ＿ｏｆｆをすることができる。即ち、深さ情報が重要なフレームではフレームレートが相対的に高いダブリング−オン駆動ＧＤ＿ｏｎをするように決定してもよい。
【００９４】
即ち、本発明の一実施形態によれば、第１フレームレートＦ１で駆動することを基本とし、入力映像信号ＩＤＡＴの情報に基づいてフレームごとに選択的に第２フレームレートＦ２にフレームレートを変えるかどうか判断する。
【００９５】
信号制御部６００のフレームレート判断部６１０がフレームレートを第１フレームレートＦ１に決定しダブリング−オフ駆動ＧＤ＿ｏｆｆをすることに決定した場合（Ｓ２２）、フレームレート判断部６１０はダブリング−オフ駆動ＧＤ＿ｏｆｆを指示する信号を信号生成部６７０に送信し、信号生成部６７０は入力映像信号ＩＤＡＴを圧縮せずに処理して出力映像信号ＤＡＴを生成し、第１フレームレートＦ１に合わせてゲート制御信号ＣＯＮＴ１、データ制御信号ＣＯＮＴ２、立体映像制御信号ＣＯＮＴ３、そしてバックライト制御信号ＣＯＮＴ４などを生成する（Ｓ２３）。
【００９６】
反面、信号制御部６００のフレームレート判断部６１０がフレームレートを第２フレームレートＦ２に決定した場合には、ダブリング−オン駆動ＧＤ＿ｏｎを指示する信号を中間フレーム判断部６２０に送信し、中間フレーム判断部６２０は中間フレームが必要かどうか判断する（Ｓ１７）。
【００９７】
中間フレームが必要かどうかに対する判断は入力映像信号ＩＤＡＴに基づいてフレーム間差を定量化（Ｓ１５）及び／またはフレーム輝度を定量化することができる（Ｓ１６）。
【００９８】
フレーム間差とは各座標に対する入力映像信号ＩＤＡＴの隣接するフレーム間差を意味するものであって、フレーム間差を定量化したフレーム間差定量数値は例えば下記［数式３］によって計算されてもよい。
【００９９】
【数３】
2015114668.tif 000005
【０１００】
［数式３］で、ｘは行方向の座標を示し、ｙは列方向の座標を示し、ＶＷは第１時点ＶＷ１または第２時点ＶＷ２に対する入力映像信号ＩＤＡＴの階調値を示し、（ｎ−１）ｔｈ  ｆｒａｍｅは（ｎ−１）番目フレーム（ｎは２以上の自然数）を示し、ｎｔｈ  ｆｒａｍｅはｎ番目フレームを示し、画素ＰＸは例えば赤色（Ｒ）、緑色（Ｇ）及び青色（Ｂ）の基本色のうちの一つを表示する。［数式３］によって各基本色（Ｒ、Ｇ、Ｂ）に対して各座標の互いに隣接するフレームの入力映像信号ＩＤＡＴの階調差の絶対値を全て合計してフレーム間差定量数値を得ることができる。
【０１０１】
フレーム輝度は各フレームで表示される映像の全体輝度であって各フレームで全体座標の入力映像信号ＩＤＡＴの階調を全て合計して得られる。フレーム輝度を定量化したフレーム輝度定量数値は現在フレームのフレーム輝度と以前フレームのフレーム輝度の差の絶対値であってもよい。
【０１０２】
信号制御部６００の中間フレーム判断部６２０はフレーム間定量数値及び／またはフレーム輝度定量数値を用いてフレームレートが第２フレームレートＦ２に変わる前に中間フレームが必要かどうか判断できる（Ｓ１７）。
【０１０３】
例えば、フレーム間定量数値が所定の第１基準値と所定の第２基準値の間に位置する場合にはフレームレートが変わる瞬間にモーションジャダー（Ｍｏｔｉｏｎ  Ｊｕｄｄｅｒ）、即ち、瞬間的な動画引かれ現象（等速度で動く物体の速度が速くなったり、遅くなったりする現象のように、動く物体が不自然に動く現象をいう）が発生することがあるので、フレームレートが第１フレームレートＦ１から第２フレームレートＦ２に変わる時、その中間に中間フレームが必要であると判断する。例えば、複数の隣接するフレームで表示される映像が等速度で動く物体を含む動画である場合、フレームレートが変わる瞬間に瞬間的な動画引かれが発生することがあるためフレームレートが変わる中間に中間フレームが必要である。
【０１０４】
これとは異なり、フレーム間定量数値が所定の第１基準値より小さいか所定の第２基準値より大きい場合には複数の隣接するフレームで表示される映像が停止映像に近かったり完全に異なる映像に変わる場合に該当するので、中間フレームが必要ではない場合もある。
【０１０５】
これと共にまたはこれと別途にフレーム輝度定量数値が所定の基準値より大きい場合には映像が完全に変わると見なすことができるので中間フレームが必要でないと判断し、フレーム輝度定量数値が所定の基準値より小さいか同じ場合には中間フレームが必要であると判断してもよい。
【０１０６】
中間フレームが必要であると判断した場合には信号制御部６００の中間フレーム生成部６３０は中間フレーム生成を決定する（Ｓ１８）。中間フレームは垂直開始信号ＳＴＶを遅延させて生成されるホールド区間を含んでもよい。中間フレームについては以後にさらに詳しく説明する。
【０１０７】
信号制御部６００の中間フレーム生成部６３０は中間フレームに関する情報ＭＦＳ及びダブリング−オン駆動ＧＤ＿ｏｎを指示する信号を信号生成部６７０に送信する。そうすると、信号生成部６７０は入力映像信号ＩＤＡＴを圧縮し処理して出力映像信号ＤＡＴを生成し、第２フレームレートＦ２に合わせてゲート制御信号ＣＯＮＴ１、データ制御信号ＣＯＮＴ２、立体映像制御信号ＣＯＮＴ３、そしてバックライト制御信号ＣＯＮＴ４などを生成する（Ｓ１９）。
【０１０８】
中間フレーム判断部６２０で中間フレームが必要であると判断した場合には中間フレームに関する情報ＭＦＳに基づいて中間フレームに対する出力映像信号ＤＡＴを生成し、ゲート制御信号ＣＯＮＴ１の垂直開始信号ＳＴＶを一定時間遅延させてもよい。
【０１０９】
中間フレーム判断部６２０で中間フレームが必要ないと判断した場合には中間フレーム判断部６２０は中間フレームなしにダブリング−オン駆動ＧＤ＿ｏｎをすることに決定し（Ｓ２０）、ダブリング−オン駆動ＧＤ＿ｏｎを指示する信号を信号生成部６７０に送信する。そうすると、信号生成部６７０は入力映像信号ＩＤＡＴを圧縮し処理して出力映像信号ＤＡＴを生成し、第２フレームレートＦ２に合わせてゲート制御信号ＣＯＮＴ１、データ制御信号ＣＯＮＴ２、立体映像制御信号ＣＯＮＴ３、そしてバックライト制御信号ＣＯＮＴ４などを生成する（Ｓ２１）。
【０１１０】
図７に示すように、例えば、第１時点ＶＷ１に対して第１フレームレートＦ１で映像を表示する場合、出力映像信号ＤＡＴ１は全体行に対するデータを含んでもよい。しかし、ダブリング−オン駆動ＧＤ＿ｏｎをする場合、信号制御部６００の信号生成部６７０は入力映像信号ＩＤＡＴを圧縮して出力映像信号ＤＡＴより解像度が低い圧縮出力映像信号ＤＡＴ１’を生成し、一つの入力映像信号ＩＤＡＴに対応するＮ個のフレームそれぞれに圧縮出力映像信号ＤＡＴ１’をそれぞれ割り当てるか、Ｎ個のフレームのうちの最初いくつかのフレームに圧縮出力映像信号ＤＡＴ１’を割り当て、残りのフレームにブラック映像信号Ｂを割り当ててもよい。例えば、一つの入力映像信号ＩＤＡＴに対して第２フレームレートＦ２が第１フレームレートＦ１の二倍である場合（Ｎ＝２）、圧縮出力映像信号ＤＡＴ１’は出力映像信号ＤＡＴ１のほぼ１／２の解像度を有してもよい。
【０１１１】
信号制御部６００はゲート制御信号ＣＯＮＴ１をゲート駆動部４００に送信し、データ制御信号ＣＯＮＴ２と出力映像信号ＤＡＴをデータ駆動部５００に送信し、立体映像制御信号ＣＯＮＴ３を立体映像変換部材６０に送信し、バックライト制御信号ＣＯＮＴ４をバックライト制御部９５０に送信する。
【０１１２】
図８は例えば第２フレームレートＦ２が第１フレームレートＦ１のほぼ２倍である場合の駆動信号のタイミングを示す。本実施形態ではゲートクロック信号が奇数番目ゲート線（Ｇ１、Ｇ３、…）に印加されるゲートオン電圧Ｖｏｎの出力周期を制御する第１ゲートクロック信号ＣＰＶ１及び偶数番目ゲート線（Ｇ２、Ｇ４、…）に印加されるゲートオン電圧Ｖｏｎの出力周期を制御する第２ゲートクロック信号ＣＰＶ２を含んでもよい。
【０１１３】
図８に示すように、ダブリング−オン駆動ＧＤ＿ｏｎ区間で垂直開始信号ＳＴＶのパルス周期はダブリング−オフ駆動ＧＤ＿ｏｆｆ区間でのパルス周期のほぼ１／Ｎ倍であって、本実施形態ではほぼ１／２であってもよい。
【０１１４】
ダブリング−オン駆動ＧＤ＿ｏｎ区間で第１ゲートクロック信号ＣＰＶ１のパルスと第２ゲートクロック信号ＣＰＶ２のパルスは互いに同期されてないが、ダブリング−オフ駆動ＧＤ＿ｏｆｆ区間で第１ゲートクロック信号ＣＰＶ１のパルスと第２ゲートクロック信号ＣＰＶ２のパルスは互いに同期されていてもよい。ダブリング−オフ駆動ＧＤ＿ｏｆｆ区間で第１ゲートクロック信号ＣＰＶ１の位相と第２ゲートクロック信号ＣＰＶ２の位相差はほぼ１８０度であってもよい。しかし、ゲートクロック信号ＣＰＶの個数及び位相差はこれに限定されず多様に変わってもよい。
【０１１５】
ダブリング−オン駆動ＧＤ＿ｏｎ区間でゲートクロック信号ＣＰＶ１、ＣＰＶ２のパルス周期はダブリング−オフ駆動ＧＤ＿ｏｆｆ区間でのパルス周期のほぼ１／Ｎ倍であって、本実施形態ではほぼ１／２であってもよい。
【０１１６】
ゲート駆動部４００は垂直開始信号ＳＴＶ及びゲートクロック信号ＣＰＶ１、ＣＰＶ２などのゲート制御信号ＣＯＮＴ１によってゲートオン電圧Ｖｏｎをゲート線Ｇ１−Ｇｎに順次に印加する。
【０１１７】
ダブリング−オフ駆動ＧＤ＿ｏｆｆ区間では一ゲート線Ｇ１−Ｇｎを単位として全てのゲート線Ｇ１−Ｇｎに順次にゲートオン電圧Ｖｏｎを出力し、ダブリング−オン駆動ＧＤ＿ｏｎ区間では二つ以上のゲート線Ｇ１−Ｇｎを単位として全てのゲート線Ｇ１−Ｇｎに順次にゲートオン電圧Ｖｏｎを出力してもよい。即ち、ダブリング−オフ駆動ＧＤ＿ｏｆｆ区間では隣接するゲート線Ｇ１−Ｇｎにゲートオン電圧Ｖｏｎが印加されるタイミングが異なるが、ダブリング−オン駆動ＧＤ＿ｏｎ区間では隣接する二つ以上のゲート線Ｇ１−Ｇｎに同時にゲートオン電圧Ｖｏｎが印加される。図８は隣接する一対のゲート線Ｇ１−Ｇｎに同時にゲートオン電圧Ｖｏｎが印加され二つのゲート線Ｇ１−Ｇｎを単位としてスキャニングされる例を示す。
【０１１８】
このようにダブリング−オン駆動ＧＤ＿ｏｎとダブリング−オフ駆動ＧＤ＿ｏｆｆの間の転換は、ハードウェアの変化なしに信号制御部６００でゲート制御信号ＣＯＮＴ１などの制御信号の簡単な変化のみでも簡単に実現できる。
【０１１９】
ゲート線Ｇ１−Ｇｎにゲートオン電圧Ｖｏｎが印加されると、これに接続されたスイッチング素子がターンオンされる。
【０１２０】
データ駆動部５００はデータ制御信号ＣＯＮＴ２によって一行の画素ＰＸに対する出力映像信号ＤＡＴを受信し、各出力映像信号ＤＡＴに対応する階調電圧を選択することによって出力映像信号ＤＡＴをアナログデータ電圧Ｖｄに変換した後、これを該当データ線Ｄ１−Ｄｍに印加する。
【０１２１】
ダブリング−オフ駆動ＧＤ＿ｏｆｆ区間で出力映像信号ＤＡＴは第１時点ＶＷ１に対する出力映像信号ＤＡＴ１または第２時点ＶＷ２に対する出力映像信号ＤＡＴ２であってもよい。ダブリング−オン駆動ＧＤ＿ｏｎ区間で出力映像信号ＤＡＴは第１時点ＶＷ１に対する圧縮出力映像信号ＤＡＴ１’または第２時点ＶＷ２に対する圧縮出力映像信号ＤＡＴ２’であってもよい。特に、ダブリング−オン駆動ＧＤ＿ｏｎで第１時点ＶＷ１に対する圧縮出力映像信号ＤＡＴ１’または第２時点ＶＷ２に対する圧縮出力映像信号ＤＡＴ２’はそれぞれ連続したＮ個のフレームにかけて繰り返して受信されるか、Ｎ個のフレームのうちの最初いくつかのフレームに圧縮出力映像信号ＤＡＴ１'、ＤＡＴ２’が受信され、残りのフレームにブラック映像信号Ｂが受信されてもよい。
【０１２２】
図９に示すように、第１フレームレートＦ１で映像を表示するダブリング−オフ駆動ＧＤ＿ｏｆｆ区間で第１時点ＶＷ１に対する出力映像信号ＤＡＴ１及び第２時点ＶＷ２に対する出力映像信号ＤＡＴ２に対するデータ電圧がフレームごとに交互に表示板３００に入力される。
【０１２３】
第２フレームレートＦ２で映像を表示するダブリング−オン駆動ＧＤ＿ｏｎ区間で第１時点ＶＷ１に対する圧縮出力映像信号ＤＡＴ１’に対するデータ電圧がＮ個（Ｎ＝２）フレームにかけて連続Ｎ番表示板３００に入力され、次の第２時点ＶＷ２に対する圧縮出力映像信号ＤＡＴ２’に対するデータ電圧がＮ個フレームにかけて連続Ｎ番表示板３００に入力される。これとは異なり、一つの入力映像信号ＩＤＡＴに対して連続した二つのフレームのうちの第２フレームにはブラック映像信号Ｂに対するデータ電圧が表示板３００に入力されてもよい。
【０１２４】
このように表示板３００のデータ線Ｄ１−Ｄｍにデータ電圧Ｖｄが印加されると、ターンオンされたスイッチング素子を通じてデータ電圧Ｖｄが該当画素ＰＸに印加される。画素ＰＸにデータ電圧Ｖｄが印加されると、画素ＰＸは液晶などの多様な光学変換素子を通じてデータ電圧Ｖｄに対応する輝度を表示することができる。例えば、液晶表示装置の場合、液晶層の液晶分子の傾いた程度を制御して光の偏光を調節して入力映像信号ＩＤＡＴの階調に対応する輝度を表示することができる。
【０１２５】
本発明の一実施形態によるバックライト９００は垂直方向の列方向に複数の発光ブロックに分けられ独立的に駆動されて発光してもよい。これをスキャンバックライト（ｓｃａｎ  ｂａｃｋｌｉｇｈｔ）という。この場合、バックライト９００は表示板３００と対向する少なくとも一つの直進性導光板をさらに含んでもよい。
【０１２６】
図９はバックライト９００が列方向に四つの発光ブロックに分けられて駆動される例を示す。バックライト９００の複数の発光ブロックはゲート駆動部４００及びデータ駆動部５００の駆動タイミングに同期され上から順次にオン（ＯＮ）されてもよい。即ち、フレームレートが変わる時、バックライト９００のオン（ＯＮ）タイミングは該当フレームレートに合うように変わってもよい。
【０１２７】
バックライト９００のオン（ＯＮ）タイミングはデータ電圧Ｖｄの入力後に画素ＰＸが十分に反応して、例えば液晶の反応が安定化された後、十分な輝度を出すことができるように各フレームの最後の部分に配置されてもよい。即ち、バックライト９００のオン（ＯＮ）タイミングは画素ＰＸにデータ電圧Ｖｄが印加された後所定時間後に始められ、その時点はクロストークが減少されるように液晶層などの光学変換素子の応答速度によって適切に決められる。
【０１２８】
立体映像変換部材６０は表示板３００で画素ＰＸの充電タイミングまたはバックライト９００のオン（ＯＮ）タイミングに同期されて動作してもよい。即ち、フレームレートが変わる時、立体映像変換部材６０、特にシャッターメガネ６０ａのオン／オフタイミングが該当フレームレートに合うように変わってもよい。これにより、表示板３００の画素ＰＸが交互に表示する互いに異なる時点の映像が各時点で観察され得る。
【０１２９】
本発明の一実施形態によれば、ダブリング−オン駆動ＧＤ＿ｏｎとダブリング−オフ駆動ＧＤ＿ｏｆｆの間の過度に頻繁な転換を防止するために一回駆動モードが変更された時その状態を所定数の連続したフレームの間には維持されるようにすることができる。
【０１３０】
図９に示すように、フレームレートが第１フレームレートＦ１から第２フレームレートＦ２に変わる時点に、表示板３００の上側部分に対してはバックライト９００がオン（ＯＮ）される時点に画素ＰＸの応答時間が十分に経過し目標とする輝度の映像が視認され得る。しかし、フレームレートが第１フレームレートＦ１から第２フレームレートＦ２に変わる時点に、表示板３００の下側部分に対してはバックライト９００がオン（ＯＮ）される時点に対応する画素ＰＸの応答時間が十分に経過せず目標とする輝度の映像が視認されなく以前フレームの映像が共に視認されクロストークが発生することがある。
【０１３１】
したがって、図９に示したように、フレームレートが第１フレームレートＦ１から第２フレームレートＦ２に変わる直前のフレームでバックライト９００の最も下側の発光ブロックのオン（ＯＮ＿ｕ）時間はそれより上側に位置する他の発光ブロック、例えば最も上側に位置する発光ブロックのオン（ＯＮ）時間より短くしてクロストークを減らすことができる。この場合、短くなったオン（ＯＮ）時間を補償するために下側の発光ブロックの駆動電流を上側発光ブロックの駆動電流より強くして位置による輝度を均一にすることができる。
【０１３２】
図１０に示すように、一入力映像信号ＩＤＡＴに対して第２フレームレートＦ２で同一な時点の圧縮出力映像信号ＤＡＴ１'、ＤＡＴ２’を複数のフレームにかけて連続して表示すれば、同一なデータ電圧を連続して表示板３００に入力するので、画素ＰＸが複数回充電され応答速度が速くなり、ダブリング−オン駆動ＧＤ＿ｏｎ時の輝度Ｌ＿ｏｎがダブリング−オフ駆動ＧＤ＿ｏｆｆ時の輝度Ｌ＿ｏｆｆに比べてさらに速く増加され、以前フレームとのクロストークが減少されることがある。
【０１３３】
このように本発明の一実施形態によれば、クロストークを減少させる必要がある場合、選択的に第２フレームレートＦ２でダブリング−オン駆動ＧＤ＿ｏｎすることができるので、入力映像信号ＩＤＡＴの特性と関係なくフレームレートを高める場合に発生することがある解像度低下の問題を最少化することができる。即ち、前述のように、高解像度の映像の表示が必要な場合には第１フレームレートＦ１で映像を表示し、クロストークを減らしたり輝度を高める必要がある場合には第２フレームレートＦ２で映像を表示して、能動的にフレームレートを選択するので表示装置の駆動装置の変化なくてもフレームごとに入力映像信号ＩＤＡＴに最適化した映像を表示することができる。
【０１３４】
ダブリング−オン駆動ＧＤ＿ｏｎ時の輝度Ｌ＿ｏｎ増加量とクロストーク減少量はバックライト９００のオン（ＯＮ）時間、即ち、デューティー（ｄｕｔｙ）を調整して調節することができる。
【０１３５】
また、前述の図９に示したように、ダブリング−オン駆動ＧＤ＿ｏｎで一入力映像信号ＩＤＡＴに対する複数のフレームのうちの最後のフレームにブラック映像信号Ｂに対するデータ電圧を表示板３００に印加すると、次の入力映像信号ＩＤＡＴに対するフレームが始まる前に画素ＰＸが含む液晶などの光学変換素子がより速く復元され、隣接するフレーム間のクロストークをさらに減らすことができる。
【０１３６】
図１１に示すように、バックライト９００が複数の発光ブロック（ＢＬＵ１、ＢＬＵ２…）を含む場合、第２フレームレートＦ２でゲート駆動部４００を駆動してスキャニング速度が速くなれば、各発光ブロック（ＢＬＵ１、ＢＬＵ２…）に対応する複数の画素ＰＸ行のうちの最初の画素行の充電開始時間と最後の画素行の充電開始時間の差ｄＴｏｎが短くなる。したがって、各発光ブロック（ＢＬＵ１、ＢＬＵ２…）に対応する複数の画素ＰＸ行間の画素充電時間の差が減る。また、各発光ブロック（ＢＬＵ１、ＢＬＵ２…）に対応する画素行のうちの最初の画素行の輝度Ｌ１と最後の画素行の輝度Ｌｋの差も減ってクロストーク偏差が減るようになり、バックライト９００のオン（ＯＮ）時間を調節すればクロストーク自体も減少させることができる余地が大きくなる。
【０１３７】
以下、前述の図面と共に図１２を参照して本発明の一実施形態による表示装置及びその駆動方法について説明する。
【０１３８】
図１２は本発明の一実施形態による表示装置の出力映像信号に対するデータ電圧の入力時間及びバックライトが点灯される時間を示すタイミング図である。
【０１３９】
図１２に示すように、本実施形態による表示装置及びその駆動方法は前述の様々な実施形態と大部分同一であるが、本発明の一実施形態によるバックライト９００は複数の発光ブロックに分けられず全体表示板３００に対応して同時にオン（ＯＮ）されるかオフされてもよい。これをブリンキングバックライト（ｂｌｉｎｋｉｎｇ  ｂａｃｋｌｉｇｈｔ）という。
【０１４０】
ダブリング−オフ駆動ＧＤ＿ｏｆｆ時にはスキャニング時間が相対的に長いため表示板３００の上部の画素ＰＸの応答時間と下部の画素ＰＸの応答時間に差が大きい。したがって、ブリンキングバックライトを使用する場合、表示板３００の下部で観察される映像は目標輝度を有さず以前フレームとのクロストークが大きく現れることがある。
【０１４１】
しかし、ダブリング−オン駆動ＧＤ＿ｏｎ時にはスキャニング時間が相対的に短くなるので、表示板３００の上部の画素ＰＸの応答時間と下部の画素ＰＸの応答時間に差が減る。また、同一の入力映像信号ＩＤＡＴに対して複数回にかけて画素ＰＸが充電されるので、画素ＰＸの応答速度も速くなる。したがって、ブリンキングバックライトを使用しても表示板３００の下部で観察される映像は目標輝度に近接するようになり、以前フレームとのクロストークが大きく減る。したがって、ブリンキングバックライトを使用する場合、クロストークを減らす必要が大きいフレームでは選択的に第２フレームレートＦ２を選択してゲート駆動部４００を駆動することができる。
【０１４２】
これとは異なり、ダブリング−オン駆動ＧＤ＿ｏｎ時にブリンキングバックライトを使用する場合、クロストークを減らさない代わりにバックライト９００のオン（ＯＮ）時間を増やして輝度を相対的にさらに高めることもでき、必要によってオン（ＯＮ）時間を減らして消費電力を減らすこともできる。
【０１４３】
以下、前述の図面と共に図１３及び図１４を参照して本発明の一実施形態による表示装置及びその駆動方法について説明する。
【０１４４】
図１３は本発明の一実施形態による表示装置の出力映像信号に対するデータ電圧の入力時間を示すタイミング図であり、図１４は本発明の一実施形態による表示装置が含む信号制御部が出力する出力映像信号の例を示した図である。
【０１４５】
図１３及び図１４に示すように、本実施形態による表示装置及びその駆動方法は前述の様々な実施形態と大部分同一であるが、フレームレートが第１フレームレートＦ１から第２フレームレートＦ２に転換される中間に中間フレームＭＦを挿入してもよい。
【０１４６】
フレームレートが第１フレームレートＦ１から第２フレームレートＦ２に転換される時、表示板３００の位置によってモーションジャダー（Ｍｏｔｉｏｎ Ｊｕｄｄｅｒ）、即ち、瞬間的な動画引かれ現象が発生することがある。特に複数の隣接するフレームで表示される映像が等速度で動く物体を含む動画である場合、フレームレートが変わる瞬間に瞬間的な動画引かれが発生することがある。
【０１４７】
また、前述の図９に示されているようにフレームレートが第１フレームレートＦ１から第２フレームレートＦ２に変わる時、表示板３００の上側に位置する画素ＰＸは相対的に十分な応答時間を有するが、下側に位置する画素ＰＸは相対的に短い応答時間を有し、表示板３００の上下間にクロストーク程度または輝度に差が大きいこともある。
【０１４８】
このような表示不良を防止するために、図１３に示したように、第２フレームレートＦ２で圧縮出力映像信号ＤＡＴ１'、ＤＡＴ２’のデータ電圧を入力する前に第１時間ｔ１から第２時間ｔ２までの所定時間の第１ホールド区間ＨＤ１の間に垂直開始信号ＳＴＶのパルスを遅延（ｄｅｌａｙ）させる。これにより、ダブリング−オフ駆動ＧＤ＿ｏｆｆ区間の最後のフレームに入力された出力映像信号ＤＡＴ２に対するデータ電圧で充電された画素ＰＸの応答時間の表示板３００の上下間偏差が第１ホールド区間ＨＤ１の時間だけ減るようになる。
【０１４９】
第１ホールド区間ＨＤ１の間にはダミー映像信号ＤＡＴ＿ｄｍがデータ駆動部５００に入力されてもよい。ダミー映像信号ＤＡＴ＿ｄｍはブラックなどの任意階調の出力映像信号ＤＡＴであってもよい。
【０１５０】
第１ホールド区間ＨＤ１が終わると共に垂直開始信号ＳＴＶのパルスが入力されると、第２フレームレートＦ２で圧縮出力映像信号ＤＡＴ１'、ＤＡＴ２’がデータ駆動部５００に入力され、これに対するデータ電圧Ｖｄが表示板３００に入力される。最後の行の画素ＰＸへのデータ電圧Ｖｄの印加は第３時間ｔ３に終わってもよい。
【０１５１】
データ電圧Ｖｄの印加が完了されると、第３時間ｔ３から第４時間ｔ４までの所定時間の第２ホールド区間ＨＤ２の間に次のフレームに対する垂直開始信号ＳＴＶのパルスがまた遅延される。これにより、第２フレームレートＦ２で駆動される最初のフレームの時間が第２ホールド区間ＨＤ２だけ長くなる。第２ホールド区間ＨＤ２の間にもダミー映像信号ＤＡＴ＿ｄｍがデータ駆動部５００に入力されてもよい。
【０１５２】
このように第２ホールド区間ＨＤ２を生成すれば、フレームレートが変わる時点で画素ＰＸの応答時間または充電電圧維持時間の急激な変化が緩和されてフレーム間画素ＰＸの充電電圧維持時間の差を減らし瞬間的なジャダ（ｊｕｄｄｅｒ）現象が減るようになる。
【０１５３】
フレームレートが転換される時点に第１ホールド区間ＨＤ１を含むフレームを中間フレームＭＦと言い、中間フレームＭＦは第２ホールド区間ＨＤ２を含んでもよく含まなくてもよい。第１ホールド区間ＨＤ１はフレームレートが第１フレームレートＦ１から第２フレームレートＦ２に変わる時に存在してもよく、第２ホールド区間ＨＤ２はフレームレートが第１フレームレートＦ１から第２フレームレートＦ２に変わる時、或いはその反対に変わる時のうちの少なくとも一つの場合に存在してもよい。
【０１５４】
第１ホールド区間ＨＤ１または第２ホールド区間ＨＤ２の長さはダミー映像信号ＤＡＴ＿ｄｍの行数と１水平周期１Ｈの積とほぼ同一であってもよい。
【０１５５】
以下、前述の図面と共に図１５及び図１６を参照して本発明の一実施形態による表示装置及びその駆動方法について説明する。
【０１５６】
図１５は本発明の一実施形態による表示装置の出力映像信号に対するデータ電圧の入力時間を示すタイミング図であり、図１６は本発明の一実施形態による表示装置が含む信号制御部が出力する出力映像信号の例を示した図である。
【０１５７】
図１５及び図１６に示すように、本実施形態による表示装置及びその駆動方法は前述の様々な実施形態と大部分同一であるが、フレームレートが第１フレームレートＦ１から第２フレームレートＦ２に転換される中間にダブリング−オフ駆動ＧＤ＿ｏｆｆとダブリング−オン駆動ＧＤ＿ｏｎが混用されている中間フレームＭＦを挿入してもよい。
【０１５８】
第２フレームレートＦ２で圧縮出力映像信号ＤＡＴ１'、ＤＡＴ２’のデータ電圧を表示板３００に本格的に入力する前に、第１時間ｔ１から第２時間ｔ２までの時間には表示板３００の上部の一部領域に第１フレームレートＦ１で出力映像信号ＤＡＴ１、ＤＡＴ２に対するデータ電圧Ｖｄを入力し、第２時間ｔ２から第３時間ｔ３までの時間には表示板３００の残りの下部領域に第２フレームレートＦ２で圧縮出力映像信号ＤＡＴ１'、ＤＡＴ２’に対するデータ電圧Ｖｄを入力する。これにより、ダブリング−オフ駆動ＧＤ＿ｏｆｆ区間の最後のフレームに入力された出力映像信号ＤＡＴ２に対するデータ電圧で充電された画素ＰＸの応答時間の表示板３００の上下間偏差が減るようになる。
【０１５９】
その次に、第３時間ｔ３から第４時間ｔ４までの所定時間のホールド区間ＨＤの間に次のフレームに対する垂直開始信号ＳＴＶのパルスが遅延される。これにより、中間フレームＭＦの時間がホールド区間ＨＤだけ長くなる。ホールド区間ＨＤの間にはダミー映像信号ＤＡＴ＿ｄｍがデータ駆動部５００に入力されてもよい。
【０１６０】
このように中間フレームＭＦでホールド区間ＨＤを生成すれば、フレームレートが変わる時点で画素ＰＸの応答時間または充電電圧維持時間の急激な変化が緩和され、フレーム間画素ＰＸの充電電圧維持時間の差を減らし、瞬間的なジャダ（ｊｕｄｄｅｒ）現象が減るようになる。
【０１６１】
フレームレートが転換される時点に表示板３００の一部領域を第１フレームレートＦ１で駆動し、残りの領域を第２フレームレートＦ２で駆動するフレームを中間フレームＭＦと言い、中間フレームＭＦはホールド区間ＨＤを含んでもよく含まなくてもよい。ホールド区間ＨＤはフレームレートが第１フレームレートＦ１から第２フレームレートＦ２に変わる時、或いはその反対に変わる時のうちの少なくとも一つ場合に存在することがある。
【０１６２】
ホールド区間ＨＤの長さはダミー映像信号ＤＡＴ＿ｄｍの行数と１水平周期１Ｈの積とほぼ同一であってもよい。
【０１６３】
以下、図１７乃至図１９を参照して本発明の一実施形態による表示装置について説明する。
【０１６４】
図１７乃至図１９はそれぞれ本発明の一実施形態による表示装置のブロック図であり、図２０は本発明の一実施形態による表示装置の信号制御部に入力される入力映像信号を示した図である。
【０１６５】
図１７に示すように、本発明の一実施形態による表示装置は前述の図１乃至図３に示した実施形態と大部分同一であるが、グラフィック制御部７００がフレームレート制御部７５０を含んでもよい。この場合、信号制御部６００はフレームレート制御部６５０を含まない。
【０１６６】
フレームレート制御部７５０は前述のフレームレート制御部６５０と大部分同一であり、以前フレームの入力映像信号ＩＤＡＴを保存するフレームメモリ７６０を含んでもよい。
【０１６７】
本実施形態の場合、ダブリング−オン駆動ＧＤ＿ｏｎ及びダブリング−オフ駆動ＧＤ＿ｏｆｆの要否はグラフィック制御部７００で決定され、ゲートダブリングの要否に関する情報が信号制御部６００に伝達される。
【０１６８】
このために、図１８に示したように、グラフィック制御部７００と信号制御部６００の間に入力映像信号ＩＤＡＴ及び入力制御信号ＩＣＯＮの伝達のための配線ＳＬ１と別途の配線ＳＬ２がさらに配置され、配線ＳＬ２を通じてゲートダブリングの要否に関する情報を信号制御部６００に伝達することができる。ゲートダブリングする場合、信号制御部６００はダブリング−オン駆動ＧＤ＿ｏｎによって動作し、ゲートダブリングしない場合に信号制御部６００はダブリング−オフ駆動ＧＤ＿ｏｆｆによって動作する。
【０１６９】
図１９及び図２０に示すように、本実施形態によれば図１８に示した実施形態とは異なり、グラフィック制御部７００から信号制御部６００に伝達される入力映像信号ＩＤＡＴのうちの隣接するフレームのデータＩＤＡＴ（ｎ−１）、ＩＤＡＴ（ｎ）（ｎは２以上の自然数）の間に位置する垂直ブランク区間ＶＢに以後フレームに対してゲートダブリングを実行するかどうかに関する情報が含まれてもよい。
【０１７０】
この他に前述の様々な実施形態の特徴が本実施形態による表示装置にも同一に適用される。
【０１７１】
以下、前述の図１乃至図３または図１７乃至図２０と共に図２１及び図２２を参照して本発明の一実施形態による表示装置及びその駆動方法について説明する。
【０１７２】
図２１は本発明の一実施形態による表示装置が無眼鏡式に立体映像を表示する方法を示した図面であり、図２２は本発明の一実施形態による表示装置が入力映像信号に基づいてフレームレートを調節する方法を示したフローチャートである。
【０１７３】
本実施形態による表示装置は前述の様々な実施形態による表示装置と大部分同一であるが、立体映像を表示することができる表示装置として無眼鏡式立体映像表示装置であってもよい。
【０１７４】
より具体的に、立体映像変換部材６０が、遮光部及び透光部が交互に形成されているパララックスバリアまたはレンズなどの光学系６０ｂを含んでもよい。図２１は光学系６０ｂが複数のレンズ６２を含む例を示す。
【０１７５】
光学系６０ｂは表示板３００の各画素ＰＸが表示する映像の光を各画素ＰＸに対応する時点（ＶＷ１、ＶＷ２、…）に送る。光学系６０ｂから最適の立体映像を観察する地点までの距離を最適観察距離（ｏｐｔｉｍａｌ  ｖｉｅｗｉｎｇ  ｄｉｓｔａｎｃｅ、ＯＶＤ）という。最適観察距離（ＯＶＤ）の互いに異なる時点（ＶＷ１、ＶＷ２、…）では光学系６０ｂを通じて互いに異なる画素ＰＸが表示する映像が観察される。
【０１７６】
例えば、光学系６０ｂとしてパララックスバリアまたはレンズを使用する場合、表示板３００の前にパララックスバリアまたは複数のレンズを配置させ表示板３００は互いに異なる時点（ＶＷ１、ＶＷ２、…）の映像を水平方向に交互に表示することができる。パララックスバリアの透光部またはレンズを通じて表示板３００からの互いに異なる時点（ＶＷ１、ＶＷ２、…）に対する映像に分けて互いに異なる時点（ＶＷ１、ＶＷ２、…）でそれぞれの映像が認識されるようにする。
【０１７７】
例えば、表示板３００の互いに異なる画素ＰＸが第１時点ＶＷ１に該当する左眼映像と第２時点ＶＷ２に該当する右眼映像を表示すれば、光学系６０ｂは各時点ＶＷ１、ＶＷ２に映像を分離して送り、観察者の左眼は左眼映像を認識し右眼が右眼映像を認識して表示板３００の映像を立体映像と認識することができる。
【０１７８】
図２２に示すように、本実施形態による表示装置の駆動方法は前述の図５乃至図１６に示した実施形態と大部分同一であるが、信号制御部６００のフレームレート判断部６１０またはグラフィック制御部７００のフレームレート判断部（図示せず）が入力映像信号ＩＤＡＴに基づいてフレームレートを決定する時に深さ情報を定量化する代わりに、フレーム間差を定量化してもよい（Ｓ３３）。このようなフレーム間差定量化は前述のフレーム間差定量化（Ｓ１５）と同一であってもよい。即ち、フレーム間差を定量化したフレーム間差定量数値は例えば前述の［数式３］によって計算されてもよい。
【０１７９】
表示装置が無眼鏡式立体映像表示装置として立体映像を表示するか２次元映像を表示する場合、各画素ＰＸが一時点に対する映像を表示するか時点に関係なく２次元映像を表示するので、フレームレートを決定することにおいて深さ情報の代わりに表示板３００の各座標に対する入力映像信号ＩＤＡＴの隣接するフレーム間差を定量化してこれを考慮してもよい。即ち、フレーム間定量数値が所定の基準値より大きく画素ＰＸの応答速度を高めるかまたは隣接するフレーム間のクロストークを低める必要がある場合には、ゲート駆動部４００が第２フレームレートＦ２でスキャニングするダブリング−オン駆動ＧＤ＿ｏｎをし、そうでない場合にはゲート駆動部４００が第１フレームレートＦ１でスキャニングするダブリング−オフ駆動ＧＤ＿ｏｆｆをすることができる。
【０１８０】
この他に前述の様々な実施形態の特徴が本実施形態による表示装置にも同一に適用される。
【０１８１】
以上で本発明の好ましい実施形態について詳細に説明したが、本発明の権利範囲はこれに限定されるものではなく、請求範囲で定義している本発明の基本概念を用いた当業者の様々な変形及び改良形態も本発明の権利範囲に属するものである。
【符号の説明】
【０１８２】
６０      立体映像変換部材
６０ａ      シャッターメガネ
６０ｂ      光学系
３００      表示板
４００      ゲート駆動部
５００      データ駆動部
６００      信号制御部
６１０      フレームレート判断部
６２０      中間フレーム判断部
６３０      中間フレーム生成部
６５０、７５０      フレームレート制御部
６６０、７６０      フレームメモリ
６７０      信号生成部
６７２      制御信号生成部
６７４      出力映像信号生成部
７００      グラフィック制御部
９００      バックライト
９５０      バックライト制御部
【図１】
2015114668.tif 000006
【図２】
2015114668.tif 000007
【図３】
2015114668.tif 000008
【図４】
2015114668.tif 000009
【図５】
2015114668.tif 000010
【図８】
2015114668.tif 000011
【図１０】
2015114668.tif 000012
【図１１】
2015114668.tif 000013
【図１７】
2015114668.tif 000014
【図１８】
2015114668.tif 000015
【図１９】
2015114668.tif 000016
【図２０】
2015114668.tif 000017
【図２１】
2015114668.tif 000018
【図２２】
2015114668.tif 000019
【図６】
2015114668.tif 000020
【図７】
2015114668.tif 000021
【図９】
2015114668.tif 000022
【図１２】
2015114668.tif 000023
【図１３】
2015114668.tif 000024
【図１４】
2015114668.tif 000025
【図１５】
2015114668.tif 000026
【図１６】
2015114668.tif 000027